(57)【要約】【課題】ユーザが自分自身の体のいずれの部分であっても、容易に美容処理を行なうことができる美容処理装置を提供すること。【解決手段】美容処理装置１００は、ユーザによって保持される棒状の把持部１０と、半導体材料を含むマッサージ部材が配置された棒状のマッサージ部３０と、把持部１０とマッサージ部３０との間に配置される接続部２０と、を有し、マッサージ部２０は、接続部２０に延設された回転軸を中心に回転可能な状態で接続部２０と接続されており、把持部１０は、接続部２０との接続角度が変更可能な状態で接続部２０と接続されている。【選択図】図１
0003161654.tif 000002
【実用新案登録請求の範囲】
【請求項１】
ユーザによって保持される棒状の把持部と、
半導体材料を含むマッサージ部材が配置された棒状のマッサージ部と、
前記把持部と前記マッサージ部との間に配置される接続部と、
を有し、
前記マッサージ部は、前記接続部に延設された回転軸を中心に回転可能な状態で前記接続部と接続されており、
前記把持部は、前記接続部との接続角度が変更可能な状態で前記接続部と接続されている美容処理装置。
【請求項２】
前記接続部には前記把持部と接続するための略半円状の凸状部が形成されており、
前記把持部には前記接続部と接続するための凹状の挟み込み部が形成されており、
前記凸状部と前記挟み込み部とは、略同一半径の接続孔をそれぞれ有し、
前記接続部と前記把持部とは、前記凸状部が前記挟み込み部に挟み込まれた状態で、前記接続部の前記接続孔と前記把持部の前記接続孔とに円柱状の接続ピンが挿通されることによって、互いに接続される請求項１に記載の美容処理装置。
【請求項３】
前記接続部の前記凸状部には複数の位置決め孔が形成されており、前記把持部から突出する位置決めピンがいずれかの前記位置決め孔に挿入されることで、前記把持部と前記接続部との接続角度が変更可能に構成されている請求項２に記載の美容処理装置。
【請求項４】
前記把持部の前記接続部と接続される側と反対側には、前記位置決めピンの突出状態を調整するための調整手段が配置されている請求項３に記載の美容処理装置。
【請求項５】
前記マッサージ部の内部には軸受が配置されており、前記接続部の前記回転軸は前記軸受の内輪に固定されている請求項４に記載の美容処理装置。
【請求項６】
前記マッサージ部の表面には、凸条部と凹陥部とが交互に形成されており、
前記凸条部に前記マッサージ部材が配置されている請求項５に記載の美容処理装置。
【請求項７】
前記マッサージ部の表面には、ゲルマニウムを含む略円形の前記マッサージ部材が前記表面から突出して配置されている請求項６に記載の美容処理装置。
【請求項８】
前記マッサージ部材は、前記マッサージ部の各前記凸条部に、４個づつ配置されている請求項６又は請求項７のいずれかに記載の美容処理装置。
【考案の詳細な説明】
【技術分野】
【０００１】
本考案は、人体の各部分について美容処理を行なう美容処理装置あるいはマッサージ機に関する。
【背景技術】
【０００２】
従来より、小型で棒状の形状をしており、ユーザが手で保持しつつ、自分自身の美容処理を行なうことができる美容処理装置が知られている（例えば、特許文献１参照）。
【先行技術文献】
【特許文献】
【０００３】
【特許文献１】特開２００８−２６４５０７号公報
【考案の概要】
【考案が解決しようとする課題】
【０００４】
このような美容処理装置は、例えば、ユーザが自分の顔の頬や、足の腿の上部を美容処理するためには便利であるが、体の部分によっては、美容処理あるいはマッサージが困難な場合がある。例えば、顔の部分でも顎の下の美容処理は窮屈な姿勢をとる必要があり、足の裏の場合には極めて不自然な体勢をとる必要があり、楽な姿勢での美容処理は困難である。
【０００５】
本考案は、上記の問題を解決するためになされたものであり、ユーザが自分自身の体のいずれの部分であっても、容易に美容処理を行なうことができる美容処理装置を提供することを目的とする。
【課題を解決するための手段】
【０００６】
本考案者は、人体各部の形状及び動作の仕組みと美容処理装置の形状の関係とを鋭意研究した結果、以下の本考案を完成するに至った。
【０００７】
（１）  ユーザによって保持される棒状の把持部と、半導体材料を含むマッサージ部材が配置された棒状のマッサージ部と、前記把持部と前記マッサージ部との間に配置される接続部と、を有し、前記マッサージ部は、前記接続部に延設された回転軸を中心に回転可能な状態で前記接続部と接続されており、前記把持部は、前記接続部との接続角度が変更可能な状態で前記接続部と接続されている美容処理装置。
【０００８】
（１）の美容処理装置において、把持部は、接続部との接続角度が変更可能な状態で接続部と接続されているから、接続部の他方の側に接続されているマッサージ部との角度を変更することができる。このため、（１）の美容処理装置によれば、人体各部の形状及び動作の仕組みに応じて、把持部とマッサージ部との角度を変更することにより、ユーザが自分自身の体のいずれの部分であっても、容易に美容処理を行なうことができる。
【０００９】
（２）  前記接続部には前記把持部と接続するための略半円状の凸状部が形成されており、前記把持部には前記接続部と接続するための凹状の挟み込み部が形成されており、前記凸状部と前記挟み込み部とは、略同一半径の接続孔をそれぞれ有し、前記接続部と前記把持部とは、前記凸状部が前記挟み込み部に挟み込まれた状態で、前記接続部の前記接続孔と前記把持部の前記接続孔とに円柱状の接続ピンが挿通されることによって、互いに接続される（１）に記載の美容処理装置。
【００１０】
（３）  前記接続部の前記凸状部には複数の位置決め孔が形成されており、前記把持部から突出する位置決めピンがいずれかの前記位置決め孔に挿入されることで、前記把持部と前記接続部との接続角度が変更可能に構成されている（２）に記載の美容処理装置。
【００１１】
（４）  前記把持部の前記接続部と接続される側と反対側には、前記位置決めピンの突出状態を調整するための調整手段が配置されている（３）に記載の美容処理装置。
【００１２】
（５）  前記マッサージ部の内部には軸受が配置されており、前記接続部の前記回転軸は前記軸受の内輪に固定されている（４）に記載の美容処理装置。
【００１３】
（６）  前記マッサージ部の表面には、凸条部と凹陥部とが交互に形成されており、
前記凸条部に前記マッサージ部材が配置されている（５）に記載の美容処理装置。
【００１４】
（７）  前記マッサージ部の表面には、半導体材料を含む略円形の前記マッサージ部材が前記表面から突出して配置されている（６）に記載の美容処理装置。
【００１５】
（８）  前記マッサージ部材は、前記マッサージ部の各前記凸条部に、４個づつ配置されている（６）又は（７）のいずれかに記載の美容処理装置。
【考案の効果】
【００１６】
本考案によれば、ユーザが自分自身の体のいずれの部分であっても、容易に美容処理を行なうことができる美容処理装置を提供することができる。
【図面の簡単な説明】
【００１７】
【図１】本考案の実施形態に係る美容処理装置を示す概略斜視図である。
【図２】美容処理装置を示す概略平面図である。
【図３】美容処理装置の一端を示す概略図である。
【図４】美容処理装置の一端を示す概略図である。
【図５】美容処理装置の曲折した状態等を示す概略図である。
【図６】美容処理装置の曲折した状態を示す概略図である。
【図７】美容処理装置の把持部を示す概略図である。
【図８】美容処理装置の把持部を示す概略図である。
【図９】美容処理装置の調整部材を示す概略図である。
【図１０】美容処理装置の接続部を示す概略図である。
【図１１】美容処理装置の接続部を示す概略図である。
【図１２】美容処理装置の内部構造を示す概略図である。
【図１３】美容処理装置の位置決めピンと接続部を示す概略図である。
【考案を実施するための形態】
【００１８】
以下、本考案の実施形態について、図面を参照して詳細に説明する。
【００１９】
図１は、本考案の実施形態に係る美容処理装置１００を示す概略斜視図である。図２は、美容処理装置１００を示す概略平面図である。図１（Ａ）及び図２に示すように、美容処理装置１００は、ユーザによって保持される棒状の把持部１０と、半導体材料を含むマッサージ部材４０が配置された棒状のマッサージ部３０と、把持部１０とマッサージ部３０との間に配置される接続部２０とを有する。把持部１０には、調整部材１２が接続されている。調整部材１２は、把持部１０から突出する後述の位置決めピンの突出状態を調整するための調整手段である。把持部１０、マッサージ部３０、接続部２０及び調整部材１２は、アルミニウム合金等の金属材料で形成されている。なお、マッサージ部３０は、ＡＢＳ樹脂等の合成樹脂で形成してもよい。
【００２０】
図１（Ａ）に示すように、マッサージ部３０の表面には、凸条部３０ｂと凹陥部３０ｃとが交互に形成されており、凸条部３０ｂの溝部３０ｄにマッサージ部材４０が配置されている。  図１（Ｂ）に示すように、マッサージ部材４０は、ゲルマニウム樹脂で形成される略円形の部材であって、マッサージ部３０の表面から突出して配置されている。ゲルマニウムは、導電性が変化する半導体材料である。ゲルマニウムを人体に接触させることで、人体に流れている生体電流に作用して新陳代謝を促進させ痛みなどを緩和する効果があるといわている。マッサージ部材４０は、マッサージ部３０の各凸条部３０ｂに、４個づつ配置されている。なお、半導体材料として、ゲルマニウム以外の材料を使用してもよい。
【００２１】
マッサージ部３０は、接続部２０に延設された後述の回転軸を中心に、図１の矢印Ｙ１及びＹ２方向に回転可能な状態で接続部２０と接続されている。上述のように、凸条部３０ｂと凹陥部３０ｃとが交互に形成されていることにより、マッサージ部３０はユーザの皮膚表面においてスムーズに回転することができる。また、例えば、断面が単なる６角形状の場合とは異なり、回転によってユーザの皮膚に適度な刺激を与えることができる。把持部１０と接続部２０とは、図２の接続ピン２４によって接続されており、図１の矢印Ｘ１及びＸ２方向に折り曲げ可能になっている。このように、把持部１０は、接続部２０との接続角度が変更可能な状態で接続部２０と接続されている。図２に示すように、接続ピン２４の両端部は、プラスチック製の被覆部材２２によって被嵌されている。被覆部材２２は、例えば、ナイロン樹脂によって形成されている。図１の矢印Ｘ１及びＸ２の回転面と、矢印Ｙ１及びＹ２の回転面とは直交する。
【００２２】
図３及び図４は、美容処理装置１００の一端を示す概略図である。図３は、図１の矢印Ｚ１方向から見た美容処理装置１００のマッサージ部３０の先端部３０ａを示す。図３に示すように、マッサージ部３０は矢印Ｚ１方向から見ると、略円状の形態をしており、凸条部３０ｂと凹陥部３０ｃとが３箇所づつ形成されている。
【００２３】
図４は、図１の矢印Ｚ２方向から見た美容処理装置１００の調整部材１２の先端部１２ａを示す。調整部材１２を矢印Ｚ２方向から見ると、略円状であって、複数の操作用の突条部１２ｂが形成されている。
【００２４】
図５及び図６は、美容処理装置１００の曲折した状態等を示す概略図である。図５は、図１の美容処理装置１００において、接続部２０が把持部１０に対して図２の接続ピン２４を回転軸として、矢印Ｘ１方向に９０度回転した状態を示す。接続部２０とマッサージ部３０は、矢印Ｘ１方向及びＸ２方向には回転不可能な状態で接続されているから、接続部２０が把持部１０に対して、矢印Ｘ１方向に９０度回転すると、マッサージ部３０も把持部１０に対して、矢印Ｘ１方向に９０度回転する。
【００２５】
図６は、図１の美容処理装置１００において、接続部２０が把持部１０に対して、矢印Ｘ２方向に９０度回転した状態を示す。接続部２０が把持部１０に対して、矢印Ｘ２方向に９０度回転すると、マッサージ部３０も把持部１０に対して、矢印Ｘ２方向に９０度回転する。
【００２６】
図７及び図８は、美容処理装置１００の把持部１０を示す概略図である。図７及び図８に示すように、把持部１０の先端部１０ａには、接続孔１０ｂ及び溝１０ｃが形成されている。
【００２７】
図８（Ａ）に示すように、把持部１０の接続部２０と接続される側には半円状に突起している先端部１０ｄａ及び１０ｄｂからなる凹状の挟み込み部が形成されている。図８（Ｂ）に示すように、先端部１０ｄａの幅と先端部１０ｄｂの幅ｄ１は、先端部１０ｄａと先端部１０ｄｂとの間の隙間の幅ｄ２よりも、わずかに狭く形成されている。
【００２８】
図９は、美容処理装置１００の調整部材１２を示す概略図である。調整部材１２は、操作用の突条部１２ｂ及び雄ネジ部１２ｆを有し、雄ネジ部１２ｆには位置決めピン１２ｇが延設されている。操作用の突条部１２ｂと雄ネジ部１２ｆとの間には、ネジが形成されていない平滑部１２ｅと１２ｃが形成されており、平滑部１２ｅと１２ｃとの間には、抜け防止用の拡径部１２ｄが形成されている。
【００２９】
図１０及び図１１は、美容処理装置１００の接続部２０を示す概略図である。図１０及び図１１に示すように、接続部２０には、略半円状の凸状部２０ａと、円板状の円板部２０ｂと回転軸２０ｃが一体に形成されている。図１０及び図１１に示すように、凸状部２０ａには、接続孔２０ａａと、位置決め孔２１ａ，２１ｂ及び２１ｃが形成されている。
図１０に示すように、位置決め孔２１ａは、回転軸２０ｃの長手方向の延長線上に形成されている。位置決め孔２１ａと２１ｂは、略半円状の凸状部２０ａにおいて、９０度の角度だけ乖離した位置に形成されている。また、位置決め孔２１ａと２１ｃは、略半円状の凸状部２０ａにおいて、９０度の角度だけ乖離した位置に形成されている。図１１に示すように、回転軸２０ｃは中空部２０ｃａが形成され、筒状になっている。
【００３０】
凸状部２０ａの接続孔２０ａａは、図８の把持部１０の先端部１０ｄａ及び１０ｄｂの接続孔１０ｂと、略同一半径である。図２に示すように、接続部２０と把持部１０とは、凸状部２０ａが先端部１０ｄａ及び１０ｄｂとから構成される挟み込み部に挟み込まれた状態で、接続部２０の接続孔と把持部１０の接続孔とに円柱状の接続ピン２４が挿通されることによって、互いに接続される。
【００３１】
図５（Ｂ）及び（Ｃ）に示すように、接続部２０の凸状部２０ａの半径と把持部１０の先端部１０ａの半径は等しく形成されており、美容処理装置１００を折り曲げた状態において、図５（Ａ）の矢印Ｚ１方向から見た場合に、いずれかの部材が突出しないように形成されている。同様に、図６のように折り曲げた状態においても、いずれかの部材が突出することはない。
【００３２】
図１２は、美容処理装置１００の内部構造を示す概略図である。図１２（Ａ）及び（Ｂ）に示すように、把持部１０の接続部２０と接続される側と反対側には、位置決めピン１２ｇの突出状態を調整するための調整部材１２が配置されている。また、図１２（Ａ）〜（Ｃ）に示すように、マッサージ部３０の内部には軸受３４，３６及び回転軸２０ｃを格納する筒３２が配置されている。接続部２０の回転軸２０ｃは軸受３４，３６の内輪に固定されている。
【００３３】
把持部１０の内部には、雌ネジ空間１０ｇが形成されている。雌ネジ空間１０ｇには、
調整部材１２の雄ネジ部１２ｆと螺合する雌ネジ部１０ｇａが形成されている。調整部材１２の拡径部１２ｄは、把持部１０の雌ネジ空間１０ｇの環状の係止部１０ｆと接し、調整部材１２が把持部１０から外れることを防止するようになっている。また、把持部１０の内部には、位置決めピン１２ｇを矢印Ｚ１，Ｚ２方向に移動可能な状態で格納するための中空部１０ｅが形成されている。図１２（Ａ）の状態において、調整部材１２が、ユーザによって矢印Ｙ２方向に回転させられると、雄ネジ部１２ｆは矢印Ｚ２方向に距離ｄ３だけ移動し、雄ネジ部１２ｆに延設されている位置決めピン１２ｇもまた、矢印Ｚ２方向に距離ｄ３だけ移動し、図１２（Ｂ）の状態となる。図１２（Ｂ）においては、位置決めピン１２ｇは、接続部２０の位置決め孔２１ａに挿入される。
【００３４】
一方、図１２（Ｂ）の状態において、調整部材１２が、ユーザによって矢印Ｙ１方向に回転させられると、雄ネジ部１２ｆは矢印Ｚ１方向に距離ｄ３だけ移動し、雄ネジ部１２ｆに延設されている位置決めピン１２ｇもまた、矢印Ｚ１方向に距離ｄ３だけ移動し、図１２（Ａ）の状態となる。図１２（Ａ）においては、位置決めピン１２ｇは、接続部２０の位置決め孔２１ａから外れている。
【００３５】
図１３は、美容処理装置１００の位置決めピンと接続部２０を示す概略図である。図１３に示すように、把持部１０から突出する位置決めピン１２ｇがいずれかの位置決め孔２１ａ，２１ｂ及び２１ｃに挿入されることで、把持部１０と接続部２０との接続角度を変更可能に構成されている。
【００３６】
図１３（Ａ）に示すように、位置決めピン１２ｇが位置決め孔２１ａに挿入されることで、美容処理装置１００における把持部１０とマッサージ部３０との角度は、図１及び図２に示す状態になる。図１３（Ａ）の状態から、一度、位置決めピン１２ｇを位置決め孔２１ａから外し、接続部２０を矢印Ｘ１方向に９０度折りまげて、図１３（Ｂ）に示すように、位置決めピン１２ｇを位置決め孔２１ｂに挿入することにより、把持部１０とマッサージ部３０とは、図５（Ａ）に示す角度で固定される。図１３（Ａ）の状態から、一度、位置決めピン１２ｇを位置決め孔２１ａから外し、接続部２０を矢印Ｘ２方向に９０度折りまげて、図１３（ｃ）に示すように、位置決めピン１２ｇを位置決め孔２１ｃに挿入することにより、把持部１０とマッサージ部３０とは、図６に示す角度で固定される。
【００３７】
このように、把持部１０とマッサージ部３０との角度は、自在に調整可能であるから、美容処理装置１００によれば、人体各部の形状及び動作の仕組みに応じて、把持部とマッサージ部との角度を変更することにより、ユーザが自分自身の体のいずれの部分であっても、容易に美容処理を行なうことができる。
【符号の説明】
【００３８】
１０  把持部
１２  調整部材
１２ｇ  位置決め用ピン
２０  接続部
２１ａ，２１ｂ，２１ｃ  位置決め孔
３０  マッサージ部
４０  マッサージ部材
１００  マッサージ装置
【図１】
0003161654.tif 000003
【図２】
0003161654.tif 000004
【図３】
0003161654.tif 000005
【図４】
0003161654.tif 000006
【図５】
0003161654.tif 000007
【図６】
0003161654.tif 000008
【図７】
0003161654.tif 000009
【図８】
0003161654.tif 000010
【図９】
0003161654.tif 000011
【図１０】
0003161654.tif 000012
【図１１】
0003161654.tif 000013
【図１２】
0003161654.tif 000014
【図１３】
0003161654.tif 000015